(57)【要約】【課題】  コイルバネによる回転制御機構を用いたアームレスト装置では、コイルバネの巻数を確保するために所定の幅を必要とするが、コイルバネを巻回するドラムとアームレストとに所定の構造を施すことで、アームレストの幅を狭小化できて小型車にも対応できるようにした。【解決手段】  シートの側面にドラムを取り付け、ドラムの外周にアームを回転可能に嵌合するとともに、ドラムとアームとの間に他端をフリーにして一端をアームに固定したコイルバネをドラムに巻回してアームの上方回動は許容し、下方回動は規制する回転制御機構を介装した自動車のアームレスト装置において、ドラムの取付けブラケットをシートの内部に設ける他、回転制御機構の一部をアームの幅方向に突出させてこの突出部をシートに潜入させて取付けブラケットに固定したことを特徴とする。【選択図】  図１
2008048784.tif 000002
【特許請求の範囲】
【請求項１】
シートの側面にドラムを取り付け、ドラムの外周にアームを回転可能に嵌合するとともに、ドラムとアームとの間に他端をフリーにして一端をアームに固定したコイルバネをドラムに巻回してアームの上方回動は許容し、下方回動は規制する回転制御機構を介装した自動車のアームレスト装置において、ドラムの取付けブラケットをシートの内部に設ける他、回転制御機構の一部をアームの幅方向に突出させてこの突出部をシートに潜入させて取付けブラケットに固定したことを特徴とする自動車のアームレスト装置。
【請求項２】
突出部の隣に同じ深さのポケットを形成し、このポケットにコイルバネの一端を固定した請求項１の自動車のアームレスト装置。
【請求項３】
アームをコイルスプリングを挟んでドラムの内側と外側に回転可能に嵌合されたカップ形をした金属板製のインナアームとアウタアームとを合わせたもので構成し、アームの外周を軟質発泡体を充填した表皮で被覆してアームレストとした請求項１又は２の自動車のアームレスト装置。
【請求項４】
突出部の外郭を構成するアームの外周に樹脂成形品のカバーが嵌合されており、カバーの外周にアームレストのシート側端部に沿うフランジを形成した請求項１〜３いずれかの自動車のアームレスト装置。
【請求項５】
シートから外れた部分の表皮をアームレストの他端側に向かってシート側に膨出させた請求項３又は４の自動車のアームレスト装置。
【請求項６】
取付けブラケットとドラムとの間に取付金具が介装されるものであり、取付けブラケットに小径の段を形成してその外面を取付金具に接当させた請求項１〜５いずれかの自動車のアームレスト装置。
【請求項７】
取付金具にストッパが形成されており、突出部がこのストッパに当たって上方回動と下方回動が制限される請求項６の自動車のアームレスト装置。
【発明の詳細な説明】
【技術分野】
【０００１】
本発明は、自動車のシートに取り付けるアームレスト装置に関するものである。
【背景技術】
【０００２】
自動車のシートにはアームレスト装置が取り付けられるが、車幅が制限されるコンパクトカーや軽自動車では、従来のアームレスト装置を単にスケールダウンしたものでは、スペースの問題もあってうまく取り付かない。このアームレスト装置には、アームレストを下方回動させるときには規制され、上方回動させるときには自由に動く、所謂回転制御機構が必要になるが、これをコイルバネで行っているものがある。下記特許文献１に示されるものがそうであるが、要するに、シートに取り付けられるドラムに、一端をアームレストに係合したコイルバネを他端をフリーにしてアームレストが下方回動するときにはコイルバネが締まり勝手になるように巻回させたものである。
【０００３】
ドラムに一端を自由にしたコイルバネを巻回しておくと、コイルバネを締まる方向に回転させると、コイルバネがドラムを締め付けて回転は規制されるが、その逆の方向に回転させるときには、コイルバネがドラム上を滑って自由に回転する仕組みを利用したものである。ところが、この機能を十分に発揮させるためには、コイルバネはある程度の巻数が確保されていなければならない。したがって、回転制御機構もある程度の幅が必要になって許容されるシート側面のスペースに納まりきらないことがある。
【特許文献１】特開２００４−１４７７９１号公報
【特許文献２】特開２００６−０５５２５８号公報
【発明の開示】
【発明が解決しようとする課題】
【０００４】
本発明は、このような課題を解決したものであり、要するに、回転制御機構は必要な幅を確保し得てアームレストの幅を狭くできるようにしたものである。
【課題を解決するための手段】
【０００５】
以上の課題の下、本発明は、請求項１に記載した、シートの側面にドラムを取り付け、ドラムの外周にアームを回転可能に嵌合するとともに、ドラムとアームとの間に他端をフリーにして一端をアームに固定したコイルバネをドラムに巻回してアームの上方回動は許容し、下方回動は規制する回転制御機構を介装した自動車のアームレスト装置において、ドラムの取付けブラケットをシートの内部に設ける他、回転制御機構の一部をアームの幅方向に突出させてこの突出部をシートに潜入させて取付けブラケットに固定したことを特徴とする自動車のアームレスト装置を提供したものである。
【０００６】
また、本発明は、以上のアームレスト装置において、請求項２に記載した、突出部の隣に同じ深さのポケットを形成し、このポケットにコイルバネの一端を固定した手段、請求項３に記載した、アームをコイルスプリングを挟んでドラムの内側と外側に回転可能に嵌合されたカップ形をした金属板製のインナアームとアウタアームとを合わせたもので構成し、アームの外周を軟質発泡体を充填した表皮で被覆してアームレストとした手段、請求項４に記載した、突出部の外郭を構成するアームの外周に樹脂成形品のカバーが嵌合されており、カバーの外周にアームレストのシート側端部に沿うフランジを形成した手段、請求項５に記載した、シートから外れた部分の表皮をアームレストの他端側に向かってシート側に膨出させた手段、請求項６に記載した、取付けブラケットとドラムとの間に取付金具が介装されるものであり、取付けブラケットに小径の段を形成してその外面を取付金具に接当させた手段、請求項７に記載した、取付金具にストッパが形成されており、突出部がこのストッパに当たって上方回動と下方回動が制限される手段を提供する。
【発明の効果】
【０００７】
請求項１の手段によると、コイルバネに必要な巻数を確保できてアームレストを幅狭のものにすることができるから、小型車等のスペースが狭い場所にも取り付けられる。また、回動制御機構を構成するドラムはシートに潜入した位置で取り付けられるから、固定が強固になる。請求項２の手段によると、コイルバネは所要の巻数のものを確保できる。請求項３の手段によると、アームが内外二点支持となり、特に内外方向の力に対して強度が高いものになるし、回転もスムーズになる。請求項４の手段によると、軟質発泡体を注入するときの液漏れを防止することができ、金属部分を小形化できる。請求項５の手段によると、肘を載せる部分は必要な幅を確保できるものとなる。請求項６の手段によると、ドラムの取付けが強固になり、このとき、取付けブラケットは薄板のものでもよいことになる。請求項７の手段によると、部材か省略でき、回転制御機構の幅を狭くできる。
【発明を実施するための最良の形態】
【０００８】
以下、本発明の実施の形態を図面を参照して説明する。図５は自動車のシートの斜視図であるが、アームレスト装置を構成するアームレスト１はシート２の側面に上下に回動可能に設けられるものであり、これにおいて、水平から上方への一定角度範囲内では、後述する回転制御機構によって下方回動は規制され、上方回動は許容されるものになる。しかし、一定角度範囲を超えると、上方回動、下方回動とも自由になってほぼ水平の初期位置に戻せるようになっている。図１は本発明の一例を示すアームレスト装置の断面図、図２は側面図、図３は各部材の関係を示す斜視図、図４は組立状態の斜視図であるが、このアームレスト装置は、シート２の内部に設けられた取付けブラケット３に固定されるドラム４と、ドラム４に回転可能に嵌合されるアーム５と、ドラム４の外周にアーム５と一定の関係をもって巻回されるコイルバネ６等からなる。
【０００９】
この場合において、ドラム４は、外方が開口したカップ形をしており、取付けブラケット３にボルト（図示省略）で締め付けられて固定される。なお、ドラム４の外端面は凹凸になっており、これで後述するカム７を形成している。アーム５は、カップ形をした金属板からなるインナアーム５ａとアウタアーム５ｂとからなり、中に空間を保って端部同士をかしめ及び重合する形で突き合わせて一体化して強度を高めている。そして、一端部がドラム４に回転可能に嵌合されているのであり、このとき、インナアーム５ａとアウタアーム５ｂがコイルバネ６を挟んで共に回転可能に嵌合される二点支持構造となっている。これにより、アーム５が内外方向の力に対して強いものとなり、乗り降りに際して身体をぶつけたり、引っ掛けたりしたときにも高い強度を維持できる。この点、従来のものは、一つのアームによる片側支持であって強度的に弱い。加えて、二点支持により、アーム５の回転もスムーズになる。
【００１０】
コイルバネ６は、一端がインナアーム５ａに固定されてドラム４の外周を４〜１０位の巻数で巻回されており、他端はドラム４の外端のカム７に摺接してフリーになっている。このときの巻き方向は、アーム５を下方に回動するときはコイルバネ６が締まる方向であり、上方回動するときには緩む（戻す）方向に設定されており、これで回転制御機構８を構成している。したがって、アーム５を下方回動するときには、その回動は規制され、上方回動するときには自由に回動してアームレスト機能と角度調整が可能なものになっている。
【００１１】
回転制御機構８はアーム５に収容されるが、本発明では、その一部をアーム５の幅方向に突出させている。具体的には、コイルバネ６の外周を覆っているインナアーム５ａの部分をシート２側に向かって突出させており、この突出部９をシート２の中に潜入させるようにしている。したがって、アーム５は幅狭の突出残部１０だけがシート２の側方に在って回転するものになっており、本発明によると、この幅を２０ｍｍ位に抑えられる。加えて、突出部９に隣接して突出部９とほぼ同じ深さのポケット９ａを形成しており、このポケット９ａにコイルバネ６の固定端を固定金具１１で固定している。これにより、コイルバネ６を回転制御機構８と同じ長さにでき、所要の巻数を確保できる。
【００１２】
そして、突出残部１０のアーム５の外周を軟質発泡体１２を充填させた表皮１３で覆ってアームレスト１としている。このように、幅狭のアーム５の部分のみを軟質発泡体１２で包んで表皮１３を被せることで、安全なアームレスト１を軽量にできる。なお、シート２から外れた部分の表皮１３の先端側を上部が順次狭くなっているシート２の背もたれ側面にアーム５を起立させたときに沿うようにシート２側に膨出させることで、シート２の幅を増大させることなく、所要の肘掛け幅を確保できる。
【００１３】
また、本例では、突出部９のインナアーム５ａの外周を更にカバー１４で覆っており、このカバー１４に突出残部１０（アームレスト１）の内側面に沿うフランジ１４ａを外方に突出させている。このフランジ１４ａによって発泡ウレタン等の軟質発泡体１２を充填するときの液漏れを防止することができ、これによってアーム５の金属部分を小形化できる。シート２の中には取付けブラケット３が設けられるが、これにドラム４を固定するときには、間に取付金具１５を介設する。すなわち、取付けブラケット３の外側面に取付金具１５をあてがい、その外方にドラム４を当ててボルト等で締め付けて固定している。
【００１４】
この取付金具１５は、ドラム４と取付けブラケット３の固定を強化するものであり、内方に突出する内爪１６と外方に突出するストッパ１７とが設けられており、内爪１６は取付けブラケット３に形成された孔１８に入り込んで回り止めとなっている。 このとき、取付けブラケット３は外方が小径になるように段を形成し、この小径の外面に取付金具１５を当てている。取付けブラケット３が薄板であっても、所要の強度が出るようにしたものである。
【００１５】
これに対してストッパ１７は、アームレスト１の下方回動と上方回動を制限するものであり、上記したポケット９ａがこれに衝突してその回動が制限されるようになっている。このように、ポケット９ａをストッパ部材にすることにより、部材を省略できるとともに、小形化、軽量化が可能になる。なお、図２において、下方回動の制限位置（ａ）は、アームレスト１が水平からやや下がった位置であり、上方回動の制限位置（ｄ）は、９０°起した位置をやや超えた位置である。
【００１６】
次に、以上のアームレスト１の動きについて説明すると、コイルバネ６は一端がアーム５（インナアーム５ａ）に固定され、他端がフリーになってドラム４の外端面（カム７）に摺接していることは上述した。アームレスト１は、水平に近い初期位置（ｂ）から一定範囲の角度（ｃ）まで（角度調整範囲）は、上方回動は許容するが、下方回動は規制するアームレスト機能を発揮し、それ以上の角度になると、上方回動、下方回動とも自由になることも上述した。
【００１７】
これを可能にするのが回転制御機構８であり、要するに、アームレスト１を上方回動させて角度調整範囲（ｃ）を超えさせると、コイルバネ６のフリー端がカム７ａによって一定に巻き戻された（緩んだ）状態に保たれるものである。したがって、上方回動も下方回動も自由に動くものになる。そして、下方回動させて初期位置に戻そうとすると、初期位置の手前でカム７ｂによってコイルバネ６を正規の位置に戻すようにしたものである（この動きの詳細は本出願人の出願に係る特開２００６−０５５２５８（上記特許文献２）に記してあることから、ここでの詳述は省略する）。
【図面の簡単な説明】
【００１８】
【図１】アームレスト装置の断面図である。
【図２】アームレスト装置の側面図である。
【図３】アームレストの各部材の関係を示す斜視図である。
【図４】アームレストの組立状態を示す斜視図である。
【図５】シートとアームレストとの関係を示す斜視図である。
【符号の説明】
【００１９】
１    アームレスト
２    シート
３    取付けブラケット
４    ドラム
５    アーム
５ａ  インナアーム
５ｂ  アウタアーム
６    コイルバネ
７    カム
８    回転制御機構
９    突出部
９ａ  ポケット
１０  突出残部
１１  固定金具
１２  軟質発泡体
１３  表皮
１４  カバー
１４ａフランジ
１５  取付金具
１６  内爪
１７  外爪
１８  孔
【図１】
2008048784.tif 000003
【図２】
2008048784.tif 000004
【図３】
2008048784.tif 000005
【図４】
2008048784.tif 000006
【図５】
2008048784.tif 000007